(57)【要約】【課題】  接着面からはみ出さずに接着剤を充填し且つ部材同士を高精度に固定できる部材の固定方法及び回転駆動部の固定方法を提供する。【解決手段】  本発明の部材及び回転駆動部の固定方法は、一方の部材（回転軸）３と他方の部材（歯車）５とを補助材７を介して接着固定する部材の固定方法であって、補助材７は一方の部材３との接着面及び他方の部材５との接着面を備え、補助材７の夫々の接着面には接着剤を収容する接着剤収容部１３を設けるようにしている。【選択図】      図１
2006153196.tif 000002
【特許請求の範囲】
【請求項１】
一方の部材と他方の部材とを補助材を介して接着固定する部材の固定方法であって、補助材は一方の部材との接着面及び他方の部材との接着面を備え、補助材の夫々の接着面には接着剤を収容する接着剤収容部を設けてあることを特徴とする部材の固定方法。
【請求項２】
補助材は部材との接着面から突出する条状突起を備え、条状突起に囲まれた領域に接着剤収容部を形成していることを特徴とする請求項１に記載の部材の固定方法。
【請求項３】
接着剤収容部の深さが中心部に向かうにつれて深くなっていることを特徴とする請求項２に記載の部材の固定方法。
【請求項４】
接着剤収容部の深さが外周側で緩やかな斜面となっており、内周側で急な斜面となっていることを特徴とする請求項３に記載の部材の固定方法。
【請求項５】
条状突起は同心状になっており、条状突起によって接着剤収容部を複数の領域に分けていることを特徴とする請求項２に記載の部材の固定方法。
【請求項６】
夫々の接着剤収容部には複数の種類の接着剤を充填しており、接着剤収容部の外周側に粘度の高い接着剤を充填し、接着剤収容部の中心側に粘度の低い接着剤を充填していることを特徴とする請求項２に記載の部材の固定方法。
【請求項７】
夫々の接着剤収容部には複数の種類の接着剤を充填しており、接着剤収容部の中心側に粘度の高い接着剤を充填し、接着剤収容部の外周側に粘度の低い接着剤を充填していることを特徴とする請求項２に記載の部材の固定方法。
【請求項８】
夫々の接着剤収容部には複数の種類の接着剤を充填しており、接着剤収容部の外周側に硬化後のヤング率が高い接着剤を充填し、接着剤収容部の中心側に硬化後のヤング率の低い接着剤を充填していることを特徴とする請求項２に記載の部材の固定方法。
【請求項９】
夫々の接着剤収容部には複数の種類の接着剤を充填しており、接着剤収容部の中心側に硬化後のヤング率が高い接着剤を充填し、接着剤収容部の外周側に硬化後のヤング率の低い接着剤を充填していることを特徴とする請求項２に記載の部材の固定方法。
【請求項１０】
部材又は補助材には接着剤収容部内に接着剤を充填する連通口が設けてあることを特徴とする請求項２に記載の部材の固定方法。
【請求項１１】
部材又は補助材には収容部内と大気とを連通する大気開放口を設けてあることを特徴とする請求項２又は１０に記載の部材の固定方法。
【請求項１２】
一方の部材は像担持体の回転軸であり、他方の部材は回転軸に連動して回転する歯車であり、請求項１〜１１の何れか一項に記載の固定方法により回転軸と歯車とを固定することを特徴とする回転駆動部の固定方法。
【請求項１３】
回転軸の外周にはスリーブが設けられており、スリーブの外周面と補助材の一方の接着面とを接着しており、歯車と補助材の他方の接着面とを接着していることを特徴とする請求項１２に記載の回転駆動部の固定方法。
【請求項１４】
スリーブには回転軸の半径方向に突出するフランジが形成されており、フランジと歯車とは略同一平面上にあり、補助材の一方の接着面と他方の接着面とが略水平になっていることを特徴とする請求項１３に記載の回転駆動部の固定方法。
【請求項１５】
補助材は回転軸の周方向に間隔を開けて備えたことを特徴とする請求項１２に記載の回転駆動部の固定方法。
【請求項１６】
補助材は波長が可視光線以下の短波長を透過する材質からなり、接着剤は光により架橋反応する材質であることを特徴とする請求項１３に記載の回転駆動部の固定方法。
【請求項１７】
歯車、回転軸及びスリーブは波長が可視光線以下の短波長を透過する材質からなることを特徴とする請求項１６に記載の回転駆動部の固定方法。
【請求項１８】
歯車の補助材が固定される位置に半径方向の案内溝が形成されており、補助材には案内溝に係合する突部が形成されており、歯車を回転軸に組付ける際に案内溝に突部を係合させて歯車の固定位置を調整していることを特徴とする請求項１２に記載の回転駆動部の固定方法。
【請求項１９】
回転駆動部には歯車の外周に当接する規制部材を設けており、歯車を規制部材で位置決めしてから補助材で回転軸と歯車とを接着固定することを特徴とする請求項１２に記載の回転駆動部の固定方法。
【請求項２０】
接着剤収容部には単一の接着剤を充填しており、接着剤収容部の外周側が中心側よりも光照射量が多くなるようにしていることを特徴とする請求項２に記載の部材の固定方法。
【請求項２１】
接着剤収容部には単一の接着剤を充填しており、接着剤収容部の中心側が外周側よりも光照射量が多くなるようにしていることを特徴とする請求項２に記載の部材の固定方法。
【発明の詳細な説明】
【技術分野】
【０００１】
本発明は、三次元空間上の一方の部材と他方の部材との位置関係を高精度に位置決め固定する部材の固定方法及び回転駆動部の固定方法に関する。
【背景技術】
【０００２】
特許文献１には、感光体ドラム（回転体）の回転軸（一方の部材）の先端部の一定の範
囲に反応硬化性の接着剤で中間層を形成し、中間層の部分に歯車（他方の部材）の取付穴
を嵌合させ、回転軸を一定速度で回転しながら調整手段により回転軸に対する歯車の偏心
や傾きが少なくなるように、歯車の取付位置を調整している。そして歯車の取付位置を調
整した後は、接着剤に硬化エネルギーを与えて接着剤を硬化させ、回転体と歯車とを固定し
ている。
【０００３】
【特許文献１】特開２００４−６０８３８号公報
【発明の開示】
【発明が解決しようとする課題】
【０００４】
しかし、特許文献１に記載の従来技術は、接着剤を回転体の接着面に直接充填するので、流動性のある接着剤の場合には狙いの塗布位置からずれてしまい、接着面からはみ出した接着剤が本来接着剤があってはいけない位置にはみ出したりするという問題がある。例えば、歯車伝達機構では歯車等、光学系部品では光路面等の部位へ接着剤がはみ出し、歯車や光学系部品の機能を阻害するという問題がある。また、接着剤の塗布分布や塗布面積がばらつくことにより、接着剤の硬化収縮による位置ずれ量が接着面の位置によってばらつき、部材同士の位置精度の確保が難しいという問題がある。
【０００５】
本発明は、接着面からはみ出さずに接着剤を充填し且つ部材同士を高精度に固定できる部材の固定方法及び回転駆動部の固定方法を得ることを目的とする。
【課題を解決するための手段】
【０００６】
前記課題を解決するために、請求項１に記載された発明は、一方の部材と他方の部材とを補助材を介して接着固定する部材の固定方法であって、補助材は一方の部材との接着面及び他方の部材との接着面を備え、補助材の夫々の接着面には接着剤を収容する接着剤収容部を設けてあることを特徴とする。
【０００７】
請求項２に記載された発明は、請求項１に記載の発明において、補助材は部材との接着面から突出する条状突起を備え、条状突起に囲まれた領域に接着剤収容部を形成していることを特徴とする。
【０００８】
請求項３に記載された発明は、請求項２に記載された発明において、接着剤収容部の深さが中心部に向かうにつれて深くなっていることを特徴とする。
【０００９】
請求項４に記載された発明は、請求項３に記載された発明において、接着剤収容部の深さが外周側で緩やかな斜面となっており、内周側で急な斜面となっていることを特徴とする。
【００１０】
請求項５に記載された発明は、請求項２に記載の発明において、条状突起は同心状になっており、条状突起によって接着剤収容部を複数の領域に分けていることを特徴とする。
【００１１】
請求項６に記載された発明は、請求項２に記載の発明において、夫々の接着剤収容部には複数の種類の接着剤を充填しており、接着剤収容部の外周側に粘度の高い接着剤を充填し、接着剤収容部の中心側に粘度の低い接着剤を充填していることを特徴とする。
【００１２】
請求項７に記載された発明は、請求項２に記載の発明において、夫々の接着剤収容部には複数の種類の接着剤を充填しており、接着剤収容部の中心側に粘度の高い接着剤を充填し、接着剤収容部の外周側に粘度の低い接着剤を充填していることを特徴とする。
【００１３】
請求項８に記載された発明は、請求項２に記載の発明において、夫々の接着剤収容部には複数の種類の接着剤を充填しており、接着剤収容部の外周側に硬化後のヤング率が高い接着剤を充填し、接着剤収容部の中心側に硬化後のヤング率の低い接着剤を充填していることを特徴とする。
【００１４】
請求項９に記載された発明は、請求項２に記載の発明において、夫々の接着剤収容部には複数の種類の接着剤を充填しており、接着剤収容部の中心側に硬化後のヤング率が高い接着剤を充填し、接着剤収容部の外周側に硬化後のヤング率の低い接着剤を充填していることを特徴とする。
【００１５】
請求項１０に記載された発明は、請求項２に記載の発明において、部材又は補助材には接着剤収容部内に接着剤を充填する連通口が設けてあることを特徴とする。
【００１６】
請求項１１に記載された発明は、請求項２又は１０に記載の発明において、部材又は補助材には接着剤収容部内と大気とを連通する大気開放口を設けてあることを特徴とする。
【００１７】
請求項１２に記載された発明は、一方の部材は像担持体の回転軸であり、他方の部材は回転軸に連動して回転する歯車であり、請求項１〜１１の何れか一項に記載の固定方法により回転軸と歯車とを固定することを特徴とする。
【００１８】
請求項１３に記載された発明は、請求項１２に記載の発明において、回転軸の外周にはスリーブが設けられており、スリーブの外周面と補助材の一方の接着面とを接着しており、歯車と補助材の他方の接着面とを接着していることを特徴とする。
【００１９】
請求項１４に記載された発明は、請求項１３に記載の発明において、スリーブには回転軸の半径方向に突出するフランジが形成されており、フランジと歯車とは略同一平面上にあり、補助材の一方の接着面と他方の接着面とが略水平になっていることを特徴とする。
【００２０】
請求項１５に記載された発明は、請求項１２に記載の発明において、補助材は回転軸の周方向に間隔を開けて備えたことを特徴とする。
【００２１】
請求項１６に記載された発明は、請求項１２に記載の発明において、補助材は可視光線以下の短波長を透過する材質からなり、接着剤は光により架橋反応する材質であることを特徴とする。
【００２２】
請求項１７に記載された発明は、請求項１６に記載の発明において、歯車、回転軸及びスリーブは波長が可視光線以下の短波長を透過する材質からなることを特徴とする。
【００２３】
請求項１８に記載された発明は、請求項１２に記載の発明において、歯車の補助材が固定される位置に半径方向の案内溝が形成されており、補助材には案内溝に係合する突部が形成されており、歯車を回転軸に組付ける際に案内溝に突部を係合させて歯車の固定位置を調整していることを特徴とする。
【００２４】
請求項１９に記載された発明は、請求項１２に記載の発明において、回転駆動部には歯車の外周に当接する規制部材を設けており、歯車を規制部材で位置決めしてから補助材で回転軸と歯車とを接着固定することを特徴とする。
【００２５】
請求項２０に記載された発明は、請求項２に記載の発明において、接着剤収容部には単一の接着剤を充填しており、接着剤収容部の外周側が中心側よりも光照射量が多くなるようにしていることを特徴とする。
【００２６】
請求項２１に記載された発明は、請求項２に記載の発明において、接着剤収容部には単一の接着剤を充填しており、接着剤収容部の中心側が外周側よりも光照射量が多くなるようにしていることを特徴とする。
【発明の効果】
【００２７】
本発明によれば、接着剤収容部内に接着剤が閉じ込められるため、流動性のある接着剤が狙いの塗布位置からずれてしまうのを防止すると共に、接着剤が接着面からはみ出すのを防止できる。また接着剤の塗布分布や塗布面積がばらつかないので、硬化収縮による位置ずれ方向もばらつきが小さく位置精度を高めることができる。
【発明を実施するための最良の形態】
【００２８】
以下に、添付図面を参照して、本発明の実施の形態を詳細に説明する。図１〜図５は本発明の第１実施の形態に係る回転駆動部の固定方法を説明している。
【００２９】
図４に示すように、本実施の形態に係る回転駆動部１は画像を担持して回転する感光体（回転体４）と、感光体４の回転軸（一方の部材３）に噛合う歯車（他方の部材５）とを備え、モータ（駆動源１０）の駆動によりピニオン１１を介して歯車５が回転して、感光体４が回転するようになっている。
【００３０】
図５に示すように、回転軸３と歯車５とを補助材７を介して固定している。補助材７は略Ｌ字状をしており、直交する一方の接合面７ａと他方の接合面７ｂの２面にそれぞれ環状（条状）突起９ａ、９ｂがあり、この環状突起９ａ、９ｂで囲まれる領域を接着剤収容部１３ａ、１３ｂとしており、接着剤収容部１３ａ、１３ｂに接着剤６を充填して、補助材７と回転軸３、補助材７と歯車５とを夫々固定している。
【００３１】
また図５に示すように、歯車５の取付孔の径は回転軸３の径より大きく設けられており、回転軸３は直接歯車５に接触しないようになっている。このため、歯車５の偏心を回転軸３に影響を与えることなく偏心を取り除く補正が可能となる。
【００３２】
次に、本実施の形態に係る作用及び効果を説明する。回転軸３と歯車５とを補助材７を介して固定する場合には、後述の実施形態で詳述するが、予め歯車５と回転軸３とを位置決めし、補助材７の一方の接合面７ａに設けた接着剤収容部１３ａに接着剤６を充填して、補助材７の一方の接合面７ａと回転軸３とを固定し、補助材７の他方の接合面７ｂに設けた接着剤収容部１３ｂに接着剤６を充填し、補助材７の他方の接合面７ｂと歯車５とを固定する。
【００３３】
本実施の形態では、補助材７の各接合面７ａ、７ｂに接着剤収容部１３ａ、１３ｂを夫々設けており、接着剤収容部１３ａ、１３ｂ内に接着剤６が閉じ込められるため、流動性のある接着剤６が狙いの塗布位置からずれてしまうのを防止すると共に、本来接着剤６があってはいけない位置にはみ出すのを防止できる。また接着剤６の塗布分布や、塗布面積がばらつかず、硬化収縮による位置ずれ方向もばらつきが小さく、歯車５と回転軸３の位置精度を高めることができる。
【００３４】
更に、接着剤６の硬化進行過程において、接着剤６の塗布量や塗布位置のばらつきによって生じる硬化中の残留応力分布のばらつきを防ぐことができ、経時的な接合個所の位置ずれ挙動がばらつかず、残留応力の偏りによる界面剥離の誘発を防止できる。
【００３５】
環状突起９の高さで接着層の厚みが規制されるので、接着層の均一化による接合強度の均一化を図ることができる。
【００３６】
次に、本発明の他の実施形態について説明する。尚、以下の説明において、上述した第１実施の形態と同一の作用効果を奏する部分には同一の符号を付することにより、その部分の詳細な説明を省略し、以下の説明では上述の第１実施の形態と異なる点を主に説明する。図６から図８は本発明の第２実施の形態を示しており、図６は接着剤収容部の深さが中心部に向かうにつれて深くなっている状態を示す断面図、図７は接着剤収容部の外周側と内周側とで傾斜角度が異なる状態を示す断面図、図８は接着剤収容部を複数の領域に分けた状態を示す断面図である。
【００３７】
図６に示す実施例では、それぞれの接着剤収容部１３ａ、１３ｂの深さが中心部に向かうにつれて深くなるようにしている。図６に示す実施例では環状突起９ａ、９ｂに近い部分では硬化によって収縮する接着剤６の量が少なく、接着剤６が固化した場合に回転軸３と補助材７との位置及び歯車５と補助材７との位置がずれにくい。また、接着剤収容部１３ａ、１３ｂの中心部は外周部よりも深くなっており、硬化によって収縮する接着剤６の量も多くなるが、中心部は環状突起９ａ、９ｂによって閉塞されており、中心部には負圧が生じて吸着効果が得られるので、接着強度が向上する。
【００３８】
図７に示す実施例では、それぞれの接着剤収容部１３ａ、１３ｂの深さが外周側で緩やかな斜面となっており、内周側で急な斜面となっている。このように、接着剤収容部１３
の深さが外周側で緩やかな斜面となっているので、接着剤６の毛管力が作用する領域が緩やかとなり、且つ接着層の厚みの変化も緩やかになるため、硬化収縮量の分布も緩やかになり、接着剤収容部内の接着強度の分布も緩やかになる。従って、外部からの衝撃荷重が掛かっても接着部分の界面で衝撃を緩やかに緩和させることができるので、界面剥離を防ぐ効果が期待できる。
【００３９】
図８に示す実施例では、環状突起９ａ、９ｂは同心円状になっており、環状突起９ａ、９ｂによって接着剤収容部１３ａ、１３ｂをそれぞれ複数の領域（１３ａ-１、１３ａ-２、１３ｂ-１、１３ｂ-２）に分けている。このように、接着剤収容部１３が複数の領域に分かれているので、各環状突起（９ａ-１、９ａ-２、９ｂ-１、９ｂ-２）近傍の接着剤６は毛管力の作用により位置精度が向上し、また、それぞれの領域（１３ａ-１、１３ａ-２、１３ｂ-１、１３ｂ-２）で仮に外部からの衝撃荷重により界面剥離をしたとしても、多重構造によりその剥離進行を食い止める働きがある。更に、それぞれの領域（１３ａ-１、１３ａ-２、１３ｂ-１、１３ｂ-２）に異なる物性の接着剤６を塗り分ける事により、機能を複合的に得られる効果も期待できる。
【００４０】
次に図９〜図１２を用いて第３実施の形態について説明する。第３実施の形態では接着剤収容部に複数の種類の接着剤を充填している。図９では接着剤収容部１３の外周側に粘度の高い接着剤６ｂを充填し、接着剤収容部１３の中心側に粘度の低い接着剤６ａを充填している。このように、接着剤収容部１３の外周側に粘度の高い接着剤６ｂを充填し、その内側には粘度の低い接着剤６ａを充填することで、接合時に粘度の高い接着剤６ｂが内側の粘度の低い接着剤６ａを囲い込み流出するのを防ぐ効果があると共に、粘度が高い接着剤６ｂが広がり切れない領域には粘度の低い接着剤６ａは流動性が良く、隙間を埋める毛管力があるため、接着剤収容部１３の全体に渡って接着剤６を充分に充填することができる。
【００４１】
図１０では接着剤収容部１３の中心側に粘度の高い接着剤６ｂを充填し、接着剤収容部１３の外周側に粘度の低い接着剤６ａを充填している。このように、接着剤収容部１３の外周側に粘度の低い接着剤６ａを充填し、その内側には粘度の高い接着剤６ｂを充填することで、接合時に粘度の高い接着剤６ｂが中央部にポッティングされており、その周囲を粘度の低い接着剤６ａで満たしており、接合時にポッティングされた粘度の高い接着剤領域と、環状突起９の接触面隙間に毛管力が働き、接着剤収容部１３内に接着剤６が万遍なく充填される。
【００４２】
図１１では接着剤収容部１３の外周側に硬化後のヤング率が高い接着剤６ｃを充填し、接着剤収容部１３の中心側に硬化後のヤング率の低い接着剤６ｄを充填している。このように、接着剤収容部１３の外周側に硬化後のヤング率が比較的高い接着剤６ｃを充填し、その内側にヤング率が低い接着剤６ｄを充填することで、接着硬化後に外部からの振動荷重がかかっても、環状突起９近傍での位置ズレを最小に抑えることができ、内側のヤング率の低い接着剤６ｄが緩衝材の役割を果たし、衝撃を緩和することにより接着面の界面剥離を防ぐ効果が得られる。
【００４３】
図１２では接着剤収容部１３の中心側に硬化後のヤング率が高い接着剤６ｃを充填し、接着剤収容部１３の外周側に硬化後のヤング率の低い接着剤６ｄを充填している。このように、接着剤収容部１３の内側にヤング率が比較的高い接着剤６ｃを充填し、その外側にヤング率が低い接着剤６ｄを充填することで、接着硬化後に外部からの振動荷重がかかっても、接着剤収容部１３の中央でヤング率の高い接着剤６ｃで位置ズレを抑えることができ、環状突起９と部材の接着面とのはさまれたリング状の領域でヤング率の低い接着剤６ｄが衝撃を吸収することにより接着面の界面剥離を防ぐ効果が得られる。
【００４４】
次に図１３〜図１６を用いて第４実施の形態について説明する。図１３は回転軸３又は歯車５に、接着剤収容部１３に接着剤６を充填する連通口１５を設けている状態を示す図、図１４は補助材７に連通口１５を設けた状態を示す図である。このように、回転軸３（又は歯車５）又は補助材７に連通口１５を設けることで、予め回転軸３（又は歯車５）と補助材７とが設置された状態でも接着剤６を充填することができ、固定作業の効率が向上し且つ、接着剤６を予め接合面に塗布してから張り合わせるよりも接着剤６のはみ出しや、たれなどの事故を防ぐ効果が得られる。更に、接着剤６は必要十分な量を図示はしていない、接着剤充填装置（ディスペンサ）などにより量を必要最低限に管理することが可能となる。
【００４５】
図１５は回転軸３又は歯車５に、接着剤収容部１３内と大気とを連通する大気開放口１７を設けている状態を示す図、図１６は補助材７に大気開放口１７を設けた状態を示す図である。このように、回転軸３（又は歯車５）又は補助材７に接着剤収容部１３内と大気とを連通する大気開放口１７を設けているので、回転軸３（又は歯車５）と補助材７とを固定したときに接着剤収容部１３内に気泡が閉じ込められることを防ぐことができ、接着剤収容部１３内の空間よりも多めに接着剤６が塗布された場合でも、大気開放口１７が接着剤６を誘導して吐き出させるドレインとして機能するため、固定作業の効率が向上すると共に接着剤６のはみ出しがあっても、大気開放口１７から問題のない領域に吐き出し誘導することにより事故を防ぐことができる。
【００４６】
次に図１７及び図１８を用いて第５実施の形態について説明する。図１７では回転軸３の外周にスリーブ１９をピン２１固定しており、スリーブ１９の外周面１９ａと補助材７の一方の接着面７ａとを接着しており、歯車５と補助材７の他方の接着面７ｂとを接着している。このように、スリーブ１９の外周面１９ａと補助材７の一方の接着面７ａとを接着しており、歯車５の接着面５ａと補助材７の他方の接着面７ｂとを接着しているので、接着面積を広くとることができ、非接触部位（界面の浮き上がり）も無く接続できることから接着強度を向上させることができる。
【００４７】
また、補助材７の一方の接着面７ａと他方の接着面７ｂとは互いに垂直になっており、
回転軸３に対して歯車５が相対的に移動しても、常に補助材７の双方の面が接触することが可能であるため、接着面の信頼性を確保することができる。
【００４８】
図１８に示す実施例ではスリーブ１９に回転軸３の半径方向に突出するフランジ２３を形成しており、フランジ２３と歯車５とは略同一平面上にあり、補助材７の一方の接着面７ａと他方の接着面７ｂとを略水平にしている。このように、スリーブ１９にフランジ２３を設けることで、補助材７を板状に成形でき、略Ｌ字状に形成する場合に比べて補助材７の加工が容易である。
【００４９】
次に図１９〜図２１を用いて第６実施の形態について説明する。図１９〜図２１に示すように、補助材７は回転軸３の周方向に間隔を開けて複数備えている。図１９に示す実施例では回転軸３に対して円筒状のスリーブ１９を取り付けており、補助材７もスリーブとの接着面７ａが曲面になっている。また、図２０及び図２１に示す実施例では回転軸３に対して矩形状のスリーブ１９を取り付けており、補助材７もスリーブ１９との接着面７ａが平担面になっている。このように、補助材７を複数に分割してあるので、それ自身の部品の嵌め合い精度を要求しなくとも、補助材７と、歯車５又は回転軸３との間、或いは補助材７とスリーブ１９との間に隙間を作ることなく密着して接合することが可能となる。
【００５０】
次に図２２を用いて第７実施の形態について説明する。図２２に示すように、歯車５の補助材７が固定される位置に半径方向の案内溝２５が形成されており、補助材７には案内溝２５に係合する突部２７が形成されており、歯車５を回転軸３に組付ける際に案内溝２５に突部２７を係合させて歯車５の固定位置を調整している。特にギヤのトルクが掛かる回転方向に接点を向けるように補助材７を配置すると、補助材７のギヤ接触面での弾性応力はこの接点により低減されるため、界面剥離を低減させる作用がある。図示では回転中心を±Yと±Xの座標で示しており、この方向にスリーブ１９と、歯車５の案内溝２５を配置すれば、双方の位置合わせが完了した後でも、補助材７の位置を±Yと±Xに移動させることにより、上述の接点を設ける配置に接地させることができる。
【００５１】
次に図２３及び図２４を用いて第８実施の形態について説明する。歯車５と回転軸３との位置あわせ方法は、基準中心から少なくとも３方向に等間隔の規制部材２９を配置し、それらに接して位置決めされる歯車５と、上記基準中心に同軸上に配置されるように予め位置決め手段３１により位置決めされる回転軸３とを相対的に固定状態にし、その後双方に接触させるように配置した補助材７によりで回転軸３と歯車５とを接着固定している。
このように互いの位置関係を理想的に把持させた上で接合させることにより回転軸３を基準に歯車５は偏心を抑えた状態で組み立てることができる。特にカラーの画像形成装置の感光体や、転写ベルト、ドラムなどに用いることにより色間のずれ量が低減できて良好な画像を形成することができるようになる。
【００５２】
次に接着剤の接着方式について説明する。接着の方式には有機系の熱硬化性接着剤（ユリア系、フェノール系、エポキシ系）や、熱可塑性接着剤（酢酸ビニル系、ポリオエチレン系）などがあり、エラストマ系接着剤では（クロロプレーンゴム系、二トリルゴム系、シリコーン系）などがある。また、無機系ではセメント類、ケイ酸ソーダ類、セラミックス系などもあげられるが、特に歯車５の使用環境に応じた温湿度、ガス雰囲気や、負荷トルク、衝撃、振動、時間、外乱電磁波（電磁波、光）や、歯車５、スリーブ１９、回転軸３の材質等を考慮した上で接着剤や、接着方式を選択する必要がある。また、接着に類似した接合方式として溶着であっても良い。
【００５３】
また、補助材７の材質は可視光線（波長：４００〜８００ｎｍ）以下の短波長を透過する材質であり、接着剤６は光により架橋反応する材質である。接着方式がUV（紫外線）又はEB(電子線)により架橋反応を起こす方式の場合であって、特に可視光線（波長：４００〜８００ｎｍ）を透過し、更に紫外線波長帯域である（波長：２００〜４００ｎｍ）のすべての帯域か或いはその帯域内の一部帯域で透過できる材料で構成した補助材７であれば、上述した工法により予め位置決めされた状態から接合する場合には硬化中、硬化後の接合状態を観察しやすく、生産性が向上すると共に、接着時間の管理を照射する光のエネルギーで強弱加減ができる。また、光の配光分布を工夫することにより、接着界面の硬化歪をうまく緩和することができるなど、接着の自由度が確保できる。尚、光硬化型の接着剤を用いるのは、熱硬化型の接着剤では温度分布を細かに設定することが難しく、界面で硬化収縮が生じると界面に残留応力が生じて剥離する可能性もあり、また可視光線で透過しないとその接着状態を観察することもできないため、工程内や市場でのトラブルに対応できないからである。
【００５４】
歯車５、回転軸３及びスリーブ１９は可視光線を透過し、更に紫外線波長帯域のすべての帯域か或いはその帯域内の一部帯域で透過できる材質であれば、接着方式をUV（紫外線）または、EB(電子線)により架橋反応を起こすポリマーによる接着方式で接着ができ、上述した補助材７と同様の効果が得られる。
【００５５】
接着剤の硬化（架橋）前の粘度について、粘度が低い方が補助材７の接着面と、相手部材との間に毛管力が作用し、均一な膜厚になろうとして自発的に被接合ワーク同士が吸着（密着）し合う力が作用し、接着層の膜厚が薄くなり、このことが硬化収縮による位置関係のずれ低減させる働きとして作用する。その意味では、硬化（架橋）前の接着剤の粘度を50000ｍPa・S以下（好ましくは25000ｍPa・S以下）のものが好ましいが、硬化後の接強度、硬化収縮率、界面隔離性、耐ヒートサイクル性、温度依存性、経時変化、硬化紫外線波長感度等を考慮した上で接着剤の選択が必要である。接着剤の硬化方法は、紫外線硬化型などの光に反応して硬化（架橋）するもの以外に、嫌気性の接着剤を用いても良い。
【００５６】
尚、本発明は上述した実施の形態に限定されず、その要旨を逸脱しない範囲で種々の変形が可能である。上述の実施形態では、歯車伝達機構に限定したが、例えばタイミングベルトの歯付きプーリや、スチールベルトなどの平ベルト駆動に用いられる平ベルトプーリ等の固定方法としても有効である。
【００５７】
また、歯車部品材料として潤滑性の良い樹脂成型材料と、回転トルクに対して変形を受けにくい剛性の高い材料（例えば金属製のスリーブ）を組み合わせることで、偏心量を低減した高精度な歯車機構を製作することができる。
【００５８】
また、歯車部品材料として潤滑性の良い樹脂成型材料と、回転トルクに対して変形を受けにくい剛性の高い材料（例えば金属製のスリーブ）を組み合わせることで、偏心量を低減した高精度な歯車機構を製作することができる。
【００５９】
上述の第３実施形態では接着剤収容部１３の内周側と外周側でヤング率の異なる樹脂剤を用いたが、接着剤収容部１３に単一の接着剤を充填し、接着剤収容部１３の外周側と中心側との間で光照射量を変えることで、外周側と中心側との間でヤング率を変えるようにしても良い。例えば、外周側が中心側よりもヤング率を大きくする場合には、接着剤収容部１３の外周側では接着剤が完全に硬化するように紫外線を照射し、接着剤収容部１３の内周側では接着剤の硬化率が約６０％以上になるよう紫外線を照射する。尚、硬化率は紫外線を照射する照射時間や光量の大小によって変えることができる。また、接着剤の硬化率が約６０％以上であれば接着剤の流動性がなくなって、部材同士の接着機能を充分に得られる。このように、接着剤収容部１３の外周側と中心側との間で光照射量を変えることで、２種類の接着剤を用いることなく１種類の接着剤を用いて硬化後のヤング率を外周側と内周側とで変えることができると共に、外周側と内周側との間で連続的な光量分布となるよう照射することで、ヤング率も外周側と内周側との間で連続的な分布とすることができ、ヤング率の異なる２つの樹脂剤を用いる場合のように、２つの樹脂剤の境界面で生じる界面歪を分散することができる。
【図面の簡単な説明】
【００６０】
【図１】第１実施の形態に係る回転駆動部の固定方法の要部を説明する断面図である。
【図２】図１の補助材を示す斜視図である。
【図３】第１実施の形態を説明する図であり、回転駆動部を示す概略図である。
【図４】図３に示す歯車部分を示す正面図である。
【図５】図３に示す回転軸と歯車との固定状態を示す断面図である。
【図６】接着剤収容部深さが中心部に向かうにつれて深くなっている状態を示す断面図である。
【図７】接着剤収容部の外周側と内周側とで傾斜角度が異なる状態を示す断面図である。
【図８】接着剤収容部を複数の領域に分けた状態を示す断面図である。
【図９】接着剤収容部の外周側に粘度の高い接着剤を充填し、中心側に粘度の低い接着剤を充填した状態を示す断面図である。
【図１０】接着剤収容部の外周側に粘度の低い接着剤を充填し、中心側に粘度の高い接着剤を充填した状態を示す断面図である。
【図１１】接着剤収容部の外周側に硬化後のヤング率が高い接着剤を充填し、中心側に硬化後のヤング率の低い接着剤を充填している状態を示す断面図である。
【図１２】接着剤収容部の外周側に硬化後のヤング率が低い接着剤を充填し、中心側に硬化後のヤング率の高い接着剤を充填している状態を示す断面図である。
【図１３】回転軸又は歯車に、接着剤収容部に接着剤を充填する連通口を設けた状態を示す断面図である。
【図１４】補助材に連通口を設けた状態を示す断面図である。
【図１５】回転軸又は歯車に、接着剤収容部内と大気とを連通する大気開放口を設けた状態を示す断面図である。
【図１６】補助材に大気開放口を設けた状態を示す断面図である。
【図１７】回転軸の外周にスリーブを固定した状態を示す断面図である。
【図１８】回転軸の外周にフランジ付きのスリーブを固定した状態を示す断面図である。
【図１９】第６実施の形態に係る回転駆動部の固定方法を示す図であり、補助材を複数備えた状態の回転駆動部を示す斜視図である。
【図２０】図１９に示す回転駆動部の変形例であり、スリーブ及び補助財の接着面の形状を曲面にした状態を示す斜視図である。
【図２１】図１９に示す回転駆動部の平面図である。
【図２２】第７実施の形態に係る回転駆動部の固定方法を示す平面図である。
【図２３】第８実施の形態に係る回転駆動部の固定方法を示す斜視図である。
【図２４】図２３に示す回転駆動部の平面図である。
【符号の説明】
【００６１】
１        回転駆動部
３        回転軸（一方の部材）
５        歯車（他方の部材）
６        接着剤
７        補助材
９        環状突起（条状突起）
１３      接着剤収容部
１５      連通口
１７      大気開放口
１９      スリーブ
２３      フランジ
２５      案内溝
２７      突部
２９      規制部材
【図１】
2006153196.tif 000003
【図２】
2006153196.tif 000004
【図３】
2006153196.tif 000005
【図４】
2006153196.tif 000006
【図５】
2006153196.tif 000007
【図６】
2006153196.tif 000008
【図７】
2006153196.tif 000009
【図８】
2006153196.tif 000010
【図９】
2006153196.tif 000011
【図１０】
2006153196.tif 000012
【図１１】
2006153196.tif 000013
【図１２】
2006153196.tif 000014
【図１３】
2006153196.tif 000015
【図１４】
2006153196.tif 000016
【図１５】
2006153196.tif 000017
【図１６】
2006153196.tif 000018
【図１７】
2006153196.tif 000019
【図１８】
2006153196.tif 000020
【図１９】
2006153196.tif 000021
【図２０】
2006153196.tif 000022
【図２１】
2006153196.tif 000023
【図２２】
2006153196.tif 000024
【図２３】
2006153196.tif 000025
【図２４】
2006153196.tif 000026